(57)【要約】【課題】  透明な遊技盤において、斬新な電飾効果を得る。【解決手段】  透明なアクリル樹脂製の基板１ａに凹陥部２０を設け、ＥＬ素子２２を保持した嵌合部材２１をその凹陥部２０に嵌合させることにより凹陥部２０と嵌合部材２１とで挟まれる基板内位置にＥＬ素子２２を配置した。ＥＬ素子２２を発光させると、その光は基板１ａの内部から放射され、基板１ａそのものが発光して電飾となるので、従来の技術では得られなかった斬新な電飾効果になる。【選択図】  図２
2006136644.tif 000002
【特許請求の範囲】
【請求項１】
透光性の合成樹脂製で前面の一部又は全部が遊技領域とされる剛性の基板と、前記基板に装着された遊技盤部品とを備える遊技盤において、
前記基板に凹陥部を設け、
透光性の嵌合部材を該凹陥部に嵌合させることにより前記凹陥部と前記嵌合部材とで挟まれる基板内位置に発光体を配置した
ことを特徴とする遊技盤。
【請求項２】
請求項１記載の遊技盤において、
前記発光体は透明なエレクトロルミネッセンス素子（ＥＬ素子）であり、
該ＥＬ素子に給電するために前記嵌合部材又は前記凹陥部に設けられた配線も透明である
ことを特徴とする遊技盤。
【請求項３】
請求項２記載の遊技盤において、
前記ＥＬ素子及び前記透明な配線は透光性の素子基板上に形成され、
該素子基板が前記嵌合部材又は凹陥部に接着されている
ことを特徴とする遊技盤。
【請求項４】
請求項１又は２記載の遊技盤において、
前記基板と前記嵌合部材とは同材質である
ことを特徴とする遊技盤。
【請求項５】
請求項４記載の遊技盤において、
前記基板と前記嵌合部材とは、前記基板及び前記嵌合部材の屈折率と同じか近似する屈折率の接着剤によって接着されている
ことを特徴とする遊技盤。
【請求項６】
請求項１〜５のいずれか１項に記載の遊技盤において、
前記凹陥部は、前記基板の側面又は前記遊技盤部品を装着するために前記基板に設けられた装着孔の内周面に開口している
ことを特徴とする遊技盤。
【発明の詳細な説明】
【技術分野】
【０００１】
本発明は、弾球遊技機の技術分野に属し、詳しくは弾球遊技機の遊技盤に関する。
【背景技術】
【０００２】
透光性の合成樹脂製で前面の一部又は全部が遊技領域とされる基板と、前記基板に装着された遊技盤部品とを備える遊技盤において、前記基板の背後に取り付けたカバーに発光体を配置して、発光体から出て基板を透過した光によって電飾効果を得る技術がある（特開平１０−１７９８５４号公報）。
【特許文献１】特開平１０−１７９８５４号公報（段落００２２〜００２３、図５）
【発明の開示】
【発明が解決しようとする課題】
【０００３】
しかしながら、単に基板の背後に発光体を配置した構成は基板にバックライトを備えたと同じことであり、背後からの光が基板上に設けられた印刷層を透過することによる電飾効果しか期待できない。つまり、透光性の基板を採用した利点を充分に活かしていなかった。
【０００４】
また、印刷層のような「目隠し」機能が無ければ、基板を透して発光体や配線基板等の「楽屋裏」が見えてしまうので、そのような目隠し材を省くわけにはいかない。といって、この目隠し材で光を遮断することもできない。
【課題を解決するための手段】
【０００５】
請求項１記載の遊技盤は、
透光性の合成樹脂製で前面の一部又は全部が遊技領域とされる剛性の基板と、前記基板に装着された遊技盤部品とを備える遊技盤において、
前記基板に凹陥部を設け、
嵌合部材を該凹陥部に嵌合させることにより前記凹陥部と前記嵌合部材とで挟まれる基板内位置に発光体を配置した
ことを特徴とする。
【０００６】
遊技盤は、本体となる基板に遊技盤部品が装着され、その前面の一部又は全部が遊技領域とされる。
遊技盤部品には入賞装置やガイドレールのように弾球遊技を行うためには必須となる部品（必須部品）が含まれるのは当然として、例えば装飾を目的として設置される部品や特定の場所や部品（例えば表示装置）を遊技球から保護するための部品のように、弾球遊技の実行という観点では必須ではない部品（非必須部品）も含まれる。例えば表示装置は、これに特定の表示（例えば大当たり表示）がなされると遊技状態が変化するなら必須部品となるし、表示内容が遊技に影響しない（例えば遊技の進行手順などの案内表示を行うだけ）なら非必須部品となる。
【０００７】
この遊技盤の本体となる基板には凹陥部、すなわち穴又は溝が設けられる。
凹陥部の形状（輪郭や内周面）は、嵌合部材を凹陥部に嵌合させ得る限りにおいて特段の制限はない。なお、基板の表面（遊技領域になる面）でなければならないので、凹陥部が該面に開口しているのは好ましくない。従って、凹陥部（穴又は溝）は基板の裏面又は側面に開口しているのが好ましい。但し、遊技領域の外（一般的には、ガイドレールの外側）であれば、基板の表面に凹陥部が開口していても問題にはならない。
【０００８】
その凹陥部に透光性の嵌合部材を嵌合させることにより凹陥部と嵌合部材とで挟まれる基板内位置、つまり凹陥部と嵌合部材との面間に発光体を配置する。従って、発光体からの光は、基板の内部から放射されることになる。すなわち、基板そのものが発光して電飾となるので、従来の技術では得られなかった斬新な電飾効果になる。
【０００９】
また、発光体が基板の内部に位置するので、基板の背面に不透明ないし半透明のフィルム（例えばハーフミラーフィルム）を張って、或いはアルミニウム等を基板の背面に蒸着して目隠しにすることができる。また、基板の背面に反射材を配置して（例えばハーフミラーフィルム、アルミニウム等の蒸着やスパッタリング）、基板の背面を光らせることもできる。
【００１０】
透光性の嵌合部材を凹陥部に嵌合させることにより凹陥部と嵌合部材とで挟まれる基板内位置に発光体を配置するには、発光体を嵌合部材に保持させておけばよいし、逆に基板（凹陥部）に発光体を保持させておいてもよいし、或いは発光体をどちらにも固定せず、嵌合部材を凹陥部に嵌合させると形成される空間内に発光体を収容するだけでもよい。
【００１１】
請求項６に記載のように、前記凹陥部は、前記基板の側面又は前記遊技盤部品を装着するために前記基板に設けられた装着孔の内周面に開口している構成にすると、基板側（例えば嵌合部材）に設けられた発光体のための配線を、この開口から基板の外部に引き出すことができ、その配線と基板の外部との接続を基板の外周部で枠に隠れる場所（基板の側面に開口する場合）又は遊技盤部品に隠れる場所（装着孔の内周面に開口する場合）で行うことができ、接続のための構成（例えばコネクタなど）を遊技者から隠す（見えなくする）ことができる。
【００１２】
基板の材料となる透光性の合成樹脂としてはアクリル、ポリカーボネート等が例示されるが、これらに限るわけではなく、透光性且つ剛性という条件を満たすなら特に制限はない。なお、ここで「剛性」というのは、遊技盤として普通に使用する限りは変形しないということである。また、「透光性」であればよいので、透明である必要はなく、透光性を損なわなければ染料や顔料で着色されていてもよいし、着色したフィルム等が積層されていてもよい。
【００１３】
嵌合部材についても基板と同様の材料を使用すればよい。このとき、請求項４記載のように、基板と嵌合部材とを同材質にすることができる。勿論、基板と嵌合部材とが異なる材質であってもよい。なお、嵌合部材は「剛性」であることを要さない。
【００１４】
発光体としてはＬＥＤ、電球、ＥＬ（エレクトロルミネッセンス）等が例示されるが、これらに限るわけではない。
但し、発光体は凹陥部と嵌合部材とで挟まれる基板内位置に配置されるのであるから、なるべく小型（収容スペースが小さくて済む物）であることが望ましく、その点ではＥＬ及びＬＥＤが優れている。
【００１５】
また、発光体からの光で基板そのものが発光していると見せる効果は、発光体が目立たないほど良好となる。すなわち、放射された光は見えるとしても、発光体そのものは遊技者に視認させない方がよい。さらには、発光体に給電するための配線等も遊技者に視認させなければ最良である。
【００１６】
この観点からすれば、透明な発光体（例えば透明ＥＬや透明ＬＥＤ）を採用するとよい。透明ＥＬを採用する場合、無機ＥＬでもよいし有機ＥＬでもよい。つまり、請求項２記載のように、前記発光体は透明なエレクトロルミネッセンス素子（ＥＬ素子）であり、該ＥＬ素子に給電するために前記嵌合部材又は前記凹陥部に設けられた配線も透明である構成が優れている。
【００１７】
例えばガラスやアクリル、ポリカーボネート等の透光性の合成樹脂からなる素子基板上にＥＬ素子を形成し、これを嵌合部材又は凹陥部に接着することで上記の基板内位置に配置するのが、つまり請求項３に記載の構成とするのが、ＥＬ素子の製造及び基板内位置への取付時の作業性で優れている。なお、透光性の素子基板上に形成されたＥＬ素子は、専門の製造業者に製造を委託するか、そうした業者が製造したものを購入すればよい。
【００１８】
ところで、基板の凹陥部と嵌合部材との境界が目立つと、そこに発光体が配置されていると認識されやすいから、これをできるだけ目立たせない工夫が要求される。
一般に、２つの透光性の物体の境界は、両者の表面を例えば平面同士にして整合させれば、ある程度は目立たなくなる。しかし、それらの界面での屈折や反射が大きいと目立ってしまう。これを防ぐには両者の屈折率を等しくすればよい。つまり、請求項４記載のように、基板（凹陥部）と嵌合部材とを同材質にすればよい。言うまでもないが、同材質でも色合いが異なるのは好ましくないから、着色する場合は同色にする。
【００１９】
但し、この場合でも境界部分に空隙があると（空気が介在すると）、空気との屈折率の差によって屈折や反射が生じてしまう。
これに対しては、請求項５に記載のように、前記基板と前記嵌合部材とは、前記基板及び前記嵌合部材の屈折率と同じか近似する屈折率の接着剤によって接着されている構成にすればよい。
【００２０】
ここで屈折率が「近似する」というのは、実用上問題がない程度の差異と同様の意味であるが、数値で表現すれば一方（例えば基板及び嵌合部材の屈折率）を基準にして、他方（ここでは接着剤の屈折率）が±１０％の範囲にあればほぼ問題はなく、同±５％の範囲ならまず問題はない。
【発明を実施するための最良の形態】
【００２１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１は図１に示す外観形状をしている。
【００２２】
この遊技盤１の基板１ａは透明な合成樹脂（本実施例ではアクリル樹脂）製で、板厚は１０ｍｍのものを使用しており、遊技盤としての剛性は十分にある。
基板１ａにはガイドレール２ａ、２ｂ、２ｃが取り付けられており、それらで囲まれた略円形の区画内が遊技領域３とされる。なお、図示は省略したが、ガイドレール２ａ、２ｂ間の切れ目部分には返しゴムが、ガイドレール２ｂ、２ｃ間の切れ目部分にはアウト穴４用のガイド板金が装着されて、それらの切れ目は閉じられる。
【００２３】
遊技領域３の中央部には、上部にワープ入口５ａ、中央部の左右にワープ出口５ｂ、下部に図柄表示装置５ｃ（表示部は３個の７セグメントＬＥＤ）を備えるセンター役物５が取り付けられており、その下方にはゲート７が配されている。ゲート７の下方には電動チューリップ式の可変入賞装置８が配され、その下方にはアタッカー式の大入賞装置９（図示は大入賞口９ａが開放された状態）が配されている。
【００２４】
センター役物５の横には、ランプ風車１１及び普通入賞口１２がそれぞれ左右で対をなして配されている。また、普通入賞口１２の下方には、サイド飾り１３と一体化された普通入賞口１４、１５がそれぞれ左右で対をなして配されている（但し、説明の都合上、左のサイド飾り１３は撤去した状態を図示してある。）。
【００２５】
そして、遊技領域３の最下部には、遊技領域３を通過してきた遊技球をアウト球として排出するためのアウト穴４が設けられている。
なお、遊技領域３には周知の障害釘や風車も配されているが、これらの図示と説明は省略する。
【００２６】
遊技盤部品であるセンター役物５、ゲート７、可変入賞装置８、大入賞装置９、ランプ風車１１、普通入賞口１２及びサイド飾り１３を基板１ａに装着するには、基板１ａに設けられた装着孔１ｂを必要とする。図１には左のサイド飾り１３のための装着孔１ｂを図示してあるが、装着孔１ｂの形状（輪郭）は各遊技盤部品に応じて異なる。但し、基板１ａを貫通している点は全ての装着孔１ｂに共通している。
【００２７】
装着孔１ｂに連通状に凹陥部２０が設けられており、各凹陥部２０には嵌合部材２１が嵌合されている。
その凹陥部２０及び嵌合部材２１の詳細を図２に示す。なお、図２（ａ）は凹陥部２０の断面構造を示すための基板１ａの部分断面図であり、図２（ｂ）は図２（ａ）の円Ｂ部分の拡大図、図２（ｃ）は図２（ａ）の円Ｃ部分の拡大図であるが、図２（ｂ）、（ｃ）は層構造を明瞭に示すための模式図であり寸法は実際のものとは異なっている。
【００２８】
図２（ｃ）に示すように、嵌合部材２１には、ＥＬ素子２２が形成された透明な素子基板２３が接着されている。なお、嵌合部材２１及び素子基板２３は基板１ａと同じ透明な合成樹脂（本実施例ではアクリル樹脂）製である。
【００２９】
ＥＬ素子２２は、素子基板２３上に、第１電極２４、第１絶縁層２５、発光層（ＥＬ材料）２６、第２絶縁層２７、第２電極２８を順に積層形成して形成されている。第１電極２４及び第２電極２８は例えばＩＴＯの薄膜で透明、例えば無機ＥＬ材で形成された発光層２６も薄膜で透明、第１絶縁層２５及び第２絶縁層２７も薄膜で透明であり、ＥＬ素子２２は全体として透明である。
【００３０】
第１電極２４と第２電極２８との間に電圧が印加されると、それらの間に配されている発光層（ＥＬ材料）２６が発光する。そのために、第１電極２４及び第２電極２８は、素子基板２３上に透明な配線として延出されており（図では第１電極２４の透明配線２４ａだけが示されているが、第２電極２８の透明配線も同様に配設されている。）、導電性の接着剤２９によりフレキシブル配線基板３０に結ばれている。フレキシブル配線基板３０は、装着孔１ｂを通って基板１ａの外部に引き出されて図示省略のＥＬ駆動回路に接続される。そのＥＬ駆動回路が第１電極２４、第２電極２８間の電圧印加を制御することでＥＬ素子２２の発光を制御する。
【００３１】
装着孔１ｂ及びその周辺は遊技盤部品（例えばセンター役物５、可変入賞装置８、大入賞装置９、サイド飾り１３）によって覆い隠されるので、透明配線とフレキシブル配線基板３０との接続部やフレキシブル配線基板３０は遊技者の目に見えない。
【００３２】
なお、この実施例では、ＥＬ素子２２が形成された透明な素子基板２３を嵌合部材２１に接着した構成としているが、嵌合部材２１上に直接ＥＬ素子２２及び透明配線を形成してもよい。
【００３３】
そして、嵌合部材２１及び素子基板２３と基板１ａ（凹陥部２０）とは、透明な接着剤によって接着されており、素子基板２３と基板１ａ（凹陥部２０）との空隙３１も接着剤が充填されている。接着剤はアクリル樹脂と屈折率が近いものが選択されており、嵌合部材２１及び素子基板２３と基板１ａ（凹陥部２０）との界面はほとんど目立たない。
【００３４】
この遊技盤１は、透明なアクリル樹脂製の基板１ａに凹陥部２０を設け、ＥＬ素子２２を保持した嵌合部材２１をその凹陥部２０に嵌合させることにより凹陥部２０と嵌合部材２１とで挟まれる基板内位置にＥＬ素子２２を配置したから、ＥＬ素子２２を発光させると、その光は基板１ａの内部から放射されることになる。すなわち、基板１ａそのものが発光して電飾となるので、従来の技術では得られなかった斬新な電飾効果になる。
【００３５】
図２に示す例ではそのようになっていないが、ＥＬ素子２２が基板１ａの内部に位置するので、基板１ａの背面に不透明ないし半透明のフィルム（例えばハーフミラーフィルム）を張って、或いはアルミニウム等を基板１ａの背面に蒸着して目隠しにすることができる。また、基板１ａの背面に反射材を配置して（例えばハーフミラーフィルム、アルミニウム等の蒸着やスパッタリング）、基板１ａの背面を光らせることもできる。
【００３６】
凹陥部２０は、遊技盤部品を装着するために基板１ａに設けられた装着孔１ｂの内周面に開口しており、素子基板２３に設けられた透明配線に接続されたフレキシブル配線基板３０を、この開口から基板１ａの外部に引き出すことができる。装着孔１ｂ及びその周辺は遊技盤部品によって覆い隠されるので、透明配線とフレキシブル配線基板３０との接続部やフレキシブル配線基板３０は遊技者の目に見えない。
【００３７】
発光体であるＥＬ素子２２が透明で、これに給電するための透明配線も透明であり、透明配線とフレキシブル配線基板３０との接続部及びフレキシブル配線基板３０は遊技者の目に見えない。すなわち、ＥＬ素子２２から放射された光は見えるとしても、ＥＬ素子２２そのものは遊技者に視認できず、ＥＬ素子２２に給電するための配線等も遊技者に視認させないので、基板１ａそのものが発光していると見せる効果は、きわめて良好となる。
【００３８】
しかも、基板１ａ、嵌合部材２１及び素子基板２３を同材質（アクリル樹脂）として、それらを接着している接着剤はアクリル樹脂と屈折率が近いものを選択しているので、嵌合部材２１及び素子基板２３と基板１ａ（凹陥部２０）との界面はほとんど目立たない。これにより基板１ａそのものが発光していると見せる効果がさらに良好となっている。
【００３９】
また、実施例では、アクリル樹脂からなる素子基板２３上にＥＬ素子２２を形成し、これを嵌合部材２１に接着することで基板内位置に配置するので、ＥＬ素子２２の製造及び基板内位置への取付時の作業性で優れている。
［その他］
実施例では、基板１ａに設けた凹陥部２０を溝状にしているが、基板１ａの片面に開口する穴としてもよい。溝状にする場合でも、装着孔１ｂに連通させるのでなく、溝の端が基板１ａの側面に開口していてもよい。
【００４０】
また、実施例では発光体（ＥＬ素子２２）を嵌合部材２１に保持させているが、逆に基板１ａ（凹陥部２０）に発光体を保持させておいてもよい。
【図面の簡単な説明】
【００４１】
【図１】実施例の遊技盤の正面図。
【図２】実施例における凹陥部及び嵌合部材の詳細説明図。
【符号の説明】
【００４２】
１・・・遊技盤、
１ａ・・・基板、
１ｂ・・・装着孔、
３・・・遊技領域、
５・・・センター役物、
７・・・ゲート、
８・・・可変入賞装置、
９・・・大入賞装置、
１１・・・ランプ風車、
１２・・・普通入賞口、
１３・・・サイド飾り、
２０・・・凹陥部、
２１・・・嵌合部材、
２２・・・ＥＬ素子、
２３・・・素子基板、
２４ａ・・・透明配線、
３０・・・フレキシブル配線基板。
【図２】
2006136644.tif 000003
【図１】
2006136644.tif 000004